(57)【特許請求の範囲】
【請求項１】
桁の相対する長壁を連結する略逆Ｕ字の上部桟と桁の相対する長壁を連結する略Ｕ字の下部桟とを有する一体成形された合成樹脂製パレットにおいて、フォーク挿入孔側の桁の長壁の内面と該桁の上部桟を構成する水平天部の裏面とにより形成される隅部には、縦リブ部と横リブ部とからなる略逆Ｌ字状の補助リブが形成されているとともに、フォーク挿入孔側の桁の長壁の内面と該桁の下部桟を構成する水平底部の上面とにより形成される隅部には、縦リブ部と横リブ部とからなる略Ｌ字状の補助リブが形成されており、また、前記略逆Ｌ字状の補助リブの横リブ部の高さが、前記上部桟を構成する垂下部の高さより低く形成されており、更に、前記略Ｌ字状の補助リブの横リブ部の高さが、前記下部桟を構成する立直部の高さより低く形成されていることを特徴とする合成樹脂製パレット。
【発明の詳細な説明】
【技術分野】
【０００１】
本発明は、物品の運搬、移送、保管等に使用される一体成形された合成樹脂製パレットに関するものである。
【背景技術】
【０００２】
従来、桁内の強度を高めるために、桁の表面部に、長手方向に垂直な断面形状が略逆Ｕ字状の桟を形成し、また、桁の裏面部に、長手方向に垂直な断面形状が略Ｕ字状の桟を形成した一体成形された合成樹脂製パレットが、一例として、特許文献１に開示されている。
【０００３】
【特許文献１】特開平３−８５２５５号公報
【発明の開示】
【発明が解決しようとする課題】
【０００４】
上述した一体成形された合成樹脂製パレットにおては、桁内に、略逆Ｕ字状の桟や略Ｕ字状の桟を形成しただけでは、桁内の強度を、十分に上げることができず、また、桁内の強度を上げるために、桟の厚みを厚くしたり、桟の本数を増やすと、合成樹脂製パレットの重量が増加するという問題があった。
【０００５】
また、フォーク挿入孔にフォークを差し込んで、合成樹脂製パレットを持ち上げた際には、フォーク挿入孔を形成する桁の側壁に大きな負荷が加わり、フォーク挿入孔を形成する桁の側壁が変形したり座屈を起こし、損傷するという問題があった。
【０００６】
本発明の目的は、上述した従来の合成樹脂製パレットが有する課題を解決することにある。
【課題を解決するための手段】
【０００７】
本発明は、上述した目的を達成するために、桁の相対する長壁を連結する略逆Ｕ字の上部桟と桁の相対する長壁を連結する略Ｕ字の下部桟とを有する一体成形された合成樹脂製パレットにおいて、フォーク挿入孔側の桁の長壁の内面と該桁の上部桟を構成する水平天部の裏面とにより形成される隅部には、縦リブ部と横リブ部とからなる略逆Ｌ字状の補助リブが形成されているとともに、フォーク挿入孔側の桁の長壁の内面と該桁の下部桟を構成する水平底部の上面とにより形成される隅部には、縦リブ部と横リブ部とからなる略Ｌ字状の補助リブが形成されており、また、前記略逆Ｌ字状の補助リブの横リブ部の高さを、前記上部桟を構成する垂下部の高さより低く形成し、更に、前記略Ｌ字状の補助リブの横リブ部の高さを、前記下部桟を構成する立直部の高さより低く形成したものである。
【発明の効果】
【０００８】
本発明は、以上説明した構成を有しているので、以下に記載する効果を奏するものである。
【０００９】
桁の相対する長壁を連結する略逆Ｕ字の上部桟と桁の相対する長壁を連結する略Ｕ字の下部桟とを有する一体成形された合成樹脂製パレットにおいて、前記相対する長壁のうち、フォーク挿入孔側に位置する長壁の内面で、且つ、前記上部桟を構成する相対する垂下部間及び前記下部桟の相対する立直部間に、補助リブを形成したので、フォーク挿入孔を形成する桁の長壁が変形や座屈を起こし、損傷するようなことを防止することができる。
【実施例】
【００１０】
以下に、本発明の実施例について説明するが、本発明の趣旨を越えない限り、何ら、本実施例に限定されるものではない。
【００１１】
先ず最初に、図１及び図２を用いて、本実施例の一体成形された合成樹脂製パレットの全体構成について説明する。
【００１２】
合成樹脂製パレットは、上部デッキ１及び下部デッキ２とを有しており、上部デッキ１と下部デッキ２の一方の相対する辺部は、略角筒状の側部桁Ｓ１により連結されており、また、上部デッキ１と下部デッキ２の中央部は、側部桁Ｓ１に略平行で、且つ、側部桁Ｓ１と略同じ長さの略角筒状の中間桁Ｓ２により連結されている。また、合成樹脂製パレットには、上部デッキ１と下部デッキ２と側部桁Ｓ１と中間桁Ｓ２とにより、囲まれたフォーク挿入孔３が形成されている。本実施例には、一方の相対する側部のみに、２本のフォーク挿入孔３が形成されている、所謂、２本差しの合成樹脂製パレットが示されている。
【００１３】
次に、図１〜図６を用いて、側部桁Ｓ１及び中間桁Ｓ２について説明するが、側部桁Ｓ１と中間桁Ｓ２の実質的な構成は同じであるので、以下においては、側部桁Ｓ１を中心に説明する。
【００１４】
側部桁Ｓ１及び中間桁Ｓ２は、相対する長壁ｓ１と相対する短壁ｓ２とを有しており、必要に応じて、相対する短壁ｓ２を連結するとともに、長壁ｓ１に略平行な区画壁ｓ３が形成されている。なお、本実施例においては、側部桁Ｓ１の相対する短壁ｓ２が、１枚の区画壁ｓ３で連結されており、中間桁Ｓ２の相対する短壁ｓ２が、３枚の区画壁ｓ３で連結されている例が示されている。
【００１５】
側部桁Ｓ１及び中間桁Ｓ２の相対する長壁ｓ１の上端部は、長壁ｓ１に対して略垂直で、且つ、適当な間隔で互いに略平行に並設された、長手方向に垂直な断面形状が略逆Ｕ字状の上部桟４で連結されており、また、側部桁Ｓ１及び中間桁Ｓ２の相対する長壁ｓ１の下端部は、長壁ｓ１に対して略垂直で、且つ、適当な間隔で互いに略平行に並設された、長手方向に垂直な断面形状が略Ｕ字状の下部桟５で連結されている。略逆Ｕ字状の上部桟４は、図３や図６等に示されているように、合成樹脂製パレットの上部デッキ１の載置面を構成する水平天部４ａと水平天部４ａの両端から下方に略垂直に延在する相対する垂下部４ｂとから構成されており、また、略Ｕ字状の下部桟５は、合成樹脂製パレットの下部デッキ２の下面を構成する水平底部５ａと水平底部５ａの両端から上方に略垂直に延在する立直部５ｂとから構成されている。また、所定の略逆Ｕ字状の上部桟４を構成する垂下部４ｂと、該垂下部４ｂの真下に位置する略Ｕ字状の下部桟５を構成する立直部５ｂとは、連結壁６により、適宜、連結されている。なお、水平天部４ａには、適当数の透孔４ａ１が穿設されており、また、水平底部５ａにも、適当数の透孔５ａ１が穿設されている。
【００１６】
側部桁Ｓ１のフォーク挿入孔３側の長壁ｓ１の上端部と該長壁ｓ１と対向する中間桁Ｓ２の長壁ｓ１の上端部とは、長壁ｓ１に略垂直で、且つ、側部桁Ｓ１と中間桁Ｓ２の略逆Ｕ字状の上部桟４を構成する垂下部４ｂに、長壁ｓ１を介して連結された上部連結リブ７で連結されており、また、上部連結リブ７は、上部連結リブ７と略直交するて適当数の上部交差リブ８により連結されている。上部連結リブ７と上部交差リブ８とにより、フォーク挿入孔３の上方に位置する上部デッキ１が形成されている。
【００１７】
側部桁Ｓ１のフォーク挿入孔３側の長壁ｓ１の下端部と該長壁ｓ１と対向する中間桁Ｓ２の長壁ｓ１の下端部とは、長壁ｓ１に略垂直で、且つ、側部桁Ｓ１と中間桁Ｓ２の略Ｕ字状の下部桟５を構成する立直部５ｂに、長壁ｓ１を介して連結された下部連結リブ９で連結されており、また、下部連結リブ９は、下部連結リブ９と略直交するて適当数の下部交差リブ１０により連結されている。下部連結リブ９と下部交差リブ１０（図２及び図５等を参照されたい。）とにより、フォーク挿入孔３の下方に位置する下部デッキ２が形成されている。
【００１８】
フォーク挿入孔３側の側部桁Ｓ１の長壁ｓ１で、且つ、側部桁Ｓ１の略逆Ｕ字状の上部桟４を構成する垂下部４ｂ間の略中間に位置する長壁ｓ１の内面（側部桁Ｓ１の内側に位置する面）ｓ１ａには、上下方向に延在する縦リブ部１１ａが形成されているとともに、縦リブ部１１ａの上端部には、上部桟４を構成する水平天部４ａの裏面に垂下された横リブ部１１ｂが連接されており、このように、フォーク挿入孔３側の側部桁Ｓ１の長壁ｓ１の内面ｓ１ａと側部桁Ｓ１の上部桟４を構成する水平天部４ａの裏面とにより形成される隅部には、縦リブ部１１ａと横リブ部１１ｂとからなる略逆Ｌ字状の補助リブ１１が形成されている。略逆Ｌ字状の補助リブ１１の縦リブ部１１ａの下端は、長壁ｓ１の下端と略一致しており、また、略逆Ｌ字状の補助リブ１１の横リブ部１１ｂの先端は、長壁ｓ１と相対する区画壁ｓ３に連接されている。
【００１９】
同様に、フォーク挿入孔３側の中間桁Ｓ２の長壁ｓ１で、且つ、中間桁Ｓ２の略逆Ｕ字状の上部桟４を構成する垂下部４ｂ間の略中間に位置する長壁ｓ１の内面ｓ１ａには、上下方向に延在する縦リブ部１１ａが形成されているとともに、縦リブ部１１ａの上端部には、上部桟４を構成する水平天部４ａの裏面に垂下された横リブ部１１ｂが連接されており、このように、フォーク挿入孔３側の中間桁Ｓ２の長壁ｓ１の内面ｓ１ａと中間桁Ｓ２の上部桟４を構成する水平天部４ａの裏面とにより形成される隅部には、縦リブ部１１ａと横リブ部１１ｂとからなる略逆Ｌ字状の補助リブ１１が形成されている。略逆Ｌ字状の補助リブ１１の縦リブ部１１ａの下端は、長壁ｓ１の下端と略一致しており、また、略逆Ｌ字状の補助リブ１１の横リブ部１１ｂの先端は、長壁ｓ１と相対する区画壁ｓ３に連接されている。
【００２０】
なお、上述した略逆Ｌ字状の補助リブ１１を構成する横リブ部１１ｂの高さ（上部桟４を構成する水平天部４ａの裏面から、横リブ部１１ｂの水平状下端１１ｂ１までの距離）ｈ１は、略逆Ｕ字状の上部桟４を構成する垂下部４ｂのうち、横リブ部１１ｂと対向する垂下部４ｂの高さ（上部桟４を構成する水平天部４ａの裏面から、垂下部４ｂの水平状下端４ｂ１までの距離）Ｈ１より、低く形成されている。このように構成することにより、合成樹脂製パレットの重量を低減することができる。
【００２１】
また、フォーク挿入孔３側の側部桁Ｓ１の長壁ｓ１で、且つ、側部桁Ｓ１の略Ｕ字状の下部桟５を構成する立直部５ｂ間の略中間に位置する長壁ｓ１の内面ｓ１ａには、上下方向に延在する縦リブ部１２ａが形成されているとともに、縦リブ部１２ａの下端部には、下部桟５を構成する水平底部５ａの上面に立設された横リブ部１２ｂが連接されており、このように、フォーク挿入孔３側の側部桁Ｓ１の長壁ｓ１の内面ｓ１ａと側部桁Ｓ１の下部桟５を構成する水平底部５ａの上面とにより形成される隅部には、縦リブ部１２ａと横リブ部１２ｂとからなる略Ｌ字状の補助リブ１２が形成されている。略Ｌ字状の補助リブ１２の縦リブ部１２ａの上端は、長壁ｓ１の上端と略一致しており、また、略Ｌ字状の補助リブ１２の横リブ部１２ｂの先端は、長壁ｓ１と相対する区画壁ｓ３に連接されている。
【００２２】
同様に、フォーク挿入孔３側の中間桁Ｓ２の長壁ｓ１で、且つ、中間桁Ｓ２の略Ｕ字状の下部桟５を構成する立直部５ｂ間の略中間に位置する長壁ｓ１の内面ｓ１ａには、上下方向に延在する縦リブ部１２ａが形成されているとともに、縦リブ部１２ａの下端部には、下部桟５を構成する水平底部５ａの上面に立設された横リブ部１２ｂが連接されており、このように、フォーク挿入孔３側の中間桁Ｓ２の長壁ｓ１の内面ｓ１ａと中間桁Ｓ２の下部桟５を構成する水平底部５ａの上面とにより形成される隅部には、縦リブ部１２ａと横リブ部１２ｂとからなる略Ｌ字状の補助リブ１２が形成されている。略Ｌ字状の補助リブ１２の縦リブ部１２ａの上端は、長壁ｓ１の上端と略一致しており、また、略Ｌ字状の補助リブ１２の横リブ部１２ｂの先端は、長壁ｓ１と相対する区画壁ｓ３に連接されている。
【００２３】
なお、上述した略Ｌ字状の補助リブ１２を構成する横リブ部１２ｂの高さ（下部桟５を構成する水平底部５ａの上面から、横リブ部１２ｂの水平状上端１２ｂ１までの距離）ｈ２は、略Ｕ字状の下部桟５を構成する立直部５ｂのうち、横リブ部１２ｂと対向する立直部５ｂの高さ（下部桟５を構成する水平底部５ａの上面から、立直部５ｂの水平状上端５ｂ１までの距離）Ｈ２より、低く形成されている。このように構成することにより、合成樹脂製パレットの重量を低減することができる。
【００２４】
側部桁Ｓ１のフォーク挿入孔３側の長壁ｓ１に形成された略逆Ｌ字状の補助リブ１１の横リブ部１１ｂと中間桁Ｓ２のフォーク挿入孔３側の長壁ｓ１に形成された略逆Ｌ字状の補助リブ１１の横リブ部１１ｂとは、長壁ｓ１を介して、上部連結リブ７と略平行で、且つ、相対する上部連結リブ７の略中間に位置する上部補助リブ用連結リブ１３で連結されており、また、側部桁Ｓ１のフォーク挿入孔３側の長壁ｓ１に形成された略Ｌ字状の補助リブ１２の横リブ部１２ｂと中間桁Ｓ２のフォーク挿入孔３側の長壁ｓ１に形成された略Ｌ字状の補助リブ１２の横リブ部１２ｂとは、長壁ｓ１を介して、下部連結リブ９と略平行で、且つ、相対する下部連結リブ９の略中間に位置する下部補助リブ用連結リブ１４で連結されている。
【００２５】
上述したように、略逆Ｕ字状の上部桟４を構成する垂下部４ｂ間の略中間に位置するとともに、フォーク挿入孔３側の側部桁Ｓ１及び中間桁Ｓ２の長壁ｓ１の内面ｓ１ａに、補助リブ１１を形成するとともに、略Ｕ字状の下部桟５を構成する立直部５ｂ間の略中間に位置するとともに、フォーク挿入孔３側の側部桁Ｓ１及び中間桁Ｓ２の長壁ｓ１の内面ｓ１ａに、補助リブ１２を形成したので、フォーク挿入孔３側の長壁ｓ１の強度や剛性を高めることができ、従って、フォーク挿入孔３を形成する側部桁Ｓ１の長壁ｓ１及び中間桁Ｓ２の長壁ｓ１が変形や座屈を起こし、損傷するようなことを防止することができる。
【００２６】
また、補助リブ１１を略逆Ｌ字状に形成するとともに、補助リブ１２を略Ｌ字状に形成したので、フォーク挿入孔３側の長壁ｓ１の強度や剛性をより高めることができ、従って、フォーク挿入孔３を形成するフォーク挿入孔３を形成する側部桁Ｓ１の長壁ｓ１及び中間桁Ｓ２の長壁ｓ１が変形や座屈を起こし、損傷するようなことを、確実に防止することができる。
【００２７】
図５に示されているように、上述した補助リブ１１、１２を、側部桁Ｓ１のフォーク挿入孔３側の長壁ｓ１と対向する長壁ｓ１（以下、外側に位置する長壁ｓ１という。）に形成することもできる。このように、側部桁Ｓ１の外側に位置する長壁ｓ１に、補助リブ１１、１２を形成することにより、側部桁Ｓ１の強度や剛性を高めることができるとともに、側部桁Ｓ１の外側に位置する長壁ｓ１に、フォークや他の合成樹脂製パレット等が衝突した際に、長壁ｓ１が損傷するようなことを防止することができる。
【００２８】
また、図５に示されているように、中間桁Ｓ２の区画壁ｓ３に、上述した補助リブ１１、１２を形成することもできる。このように、中間桁Ｓ２の区画壁ｓ３に、補助リブ１１、１２を形成することにより、中間桁Ｓ２の強度や剛性を高めることができる。
【００２９】
上述したように、側部桁Ｓ１のフォーク挿入孔３側の長壁ｓ１に形成された略逆Ｌ字状の補助リブ１１の横リブ部１１ｂと中間桁Ｓ２のフォーク挿入孔３側の長壁ｓ１に形成された略逆Ｌ字状の補助リブ１１の横リブ部１１ｂとを、長壁ｓ１を介して、上部連結リブ７と略平行で、且つ、相対する上部連結リブ７の略中間に位置する上部補助リブ用連結リブ１３で連結することにより、側部桁Ｓ１の長壁ｓ１及び中間桁Ｓ２の長壁ｓ１が変形や座屈を起こし、損傷するようなことを、更に確実に防止することができるとともに、合成樹脂製パレットの強度や剛性を高めることができる。
【００３０】
同様に、側部桁Ｓ１のフォーク挿入孔３側の長壁ｓ１に形成された略Ｌ字状の補助リブ１２の横リブ部１２ｂと中間桁Ｓ２のフォーク挿入孔３側の長壁ｓ１に形成された略Ｌ字状の補助リブ１２の横リブ部１２ｂとを、長壁ｓ１を介して、下部連結リブ９と略平行で、且つ、相対する下部連結リブ９の略中間に位置する下部補助リブ用連結リブ１４で連結することにより、側部桁Ｓ１の長壁ｓ１及び中間桁Ｓ２の長壁ｓ１が変形や座屈を起こし、損傷するようなことを、更に確実に防止することができるとともに、合成樹脂製パレットの強度や剛性を高めることができる。
【００３１】
図７に示されている実施例は、上述した略Ｌ字状の補助リブ１２に代えて、区画壁ｓ３に、下端部が横リブ部１２ｂに連接する縦リブ部１２ａを形成することにより、側部桁Ｓ１のフォーク挿入孔３側の長壁ｓ１と区画壁ｓ３との間に、略Ｕ字状の補助リブ１２を形成したものである。同様に、略逆Ｌ字状の補助リブ１１に代えて、区画壁ｓ３に、上端部が横リブ部１１ｂに連接する縦リブ部１１ａを形成することにより、側部桁Ｓ１のフォーク挿入孔３側の長壁ｓ１と区画壁ｓ３との間に、略逆Ｕ字状の補助リブ１１を形成する。このように、補助リブ１１を、略逆Ｕ字状に形成するとともに、補助リブ１２を、略Ｕ字状に形成することにより、フォーク挿入孔３側の長壁ｓ１の強度や剛性を更に高めることができ、従って、フォーク挿入孔３を形成する桁Ｓの対向する長壁ｓ１が変形や座屈を起こし、損傷するようなことを、より確実に防止することができ、更に、側部桁Ｓ１の強度や剛性を、更に高めることができる。このような、略逆Ｕ字状の補助リブ１１や略Ｕ字状の補助リブ１２は、中間桁Ｓのフォーク挿入孔３側の長壁ｓ１と区画壁ｓ３との間に形成することもできる。なお、図７に示されている実施例には、図５に示されている中間桁Ｓ２の区画壁ｓ３に形成されている補助リブ１１、１２が省略されている例が示されている。
【００３２】
なお、上述した実施例には、一方の相対する側部のみに、２本のフォーク挿入孔が形成されている、所謂、２本差しの合成樹脂製パレットが示されているが、各側部に、それぞれ、２本のフォーク挿入孔が形成されている、所謂、４本差しの合成樹脂製パレットに、本発明を適用することもできる。
【図面の簡単な説明】
【００３３】
【図１】図１は、本発明の合成樹脂製パレットの斜視図である。
【図２】図２は、本発明の合成樹脂製パレットの裏面斜視図である。
【図３】図３は、本発明の合成樹脂製パレットの部分拡大斜視図である。
【図４】図４は、本発明の合成樹脂製パレットの側部桁付近の部分拡大斜視図である。
【図５】図５は、本発明の合成樹脂製パレットの側部桁と中間桁の一部断面を含む部分拡大斜視図である。
【図６】図６は、本発明の合成樹脂製パレットの部分拡大斜視図である。
【図７】図７は、本発明の別の実施例の合成樹脂製パレットの側部桁と中間桁の一部断面を含む部分拡大斜視図である。
【符号の説明】
【００３４】
Ｓ１・・・・・・・・・・・・側部桁
Ｓ２・・・・・・・・・・・・中間桁
ｓ１・・・・・・・・・・・・長壁
ｓ２・・・・・・・・・・・・短壁
ｓ３・・・・・・・・・・・・区画壁
１・・・・・・・・・・・・・上部デッキ
２・・・・・・・・・・・・・下部デッキ
３・・・・・・・・・・・・・フォーク挿入孔
４・・・・・・・・・・・・・上部桟
５・・・・・・・・・・・・・下部桟
１１、１２・・・・・・・・・補助リブ
【図１】
0004555189.tif 000002
【図２】
0004555189.tif 000003
【図３】
0004555189.tif 000004
【図４】
0004555189.tif 000005
【図５】
0004555189.tif 000006
【図６】
0004555189.tif 000007
【図７】
0004555189.tif 000008